(57)【要約】【課題】ネットワークサービスを受けるために契約を申込んで来たユーザから受信したドメイン名が正当であるか否かを、サービスを提供する側で簡易に確認でき、安全に契約を結ぶ方法を提供すること。【解決手段】契約実施端末１３と契約対象ネットワーク１、ＤＮＳサーバ１１、サービス契約システム２、サービス提供システム３とを通信ネットワーク４を介して情報を送受信可能に接続し、サービス提供システム２が契約対象ネットワーク１に対してサービスを行うシステムにおいて、契約実施端末１３が契約対象ネットワーク１に対するサービス提供の契約を行う場合に、サービス契約システム２が、契約実施端末１３から入力されたドメイン名と自身が取得した契約対象ネットワーク１のドメイン名とが一致することを確認した後、サービス提供システム３がサービス提供を開始する。【選択図】        図１
2004151933.tif 000002
【特許請求の範囲】
【請求項１】
契約実施端末と契約対象ネットワーク、ＤＮＳサーバ、サービス契約システム、サービス提供システムとを通信ネットワークを介して情報を送受信可能に接続し、サービス提供システムが契約実施端末を含む契約対象ネットワークに対してサービスを行うシステムにおいて、
契約実施端末が契約対象ネットワークに対するサービス提供の契約を行う場合に、契約実施端末から入力されたドメイン名とサービス契約システムが取得した契約対象ネットワークのドメイン名とが一致することをサービス契約システムが確認した後、サービス提供システムがサービス提供を開始する、
ことを特徴とするネットワークサービスを安全に契約する方法。
【請求項２】
請求項１に記載のネットワークサービスを安全に契約する方法において、
サービス契約システムが契約実施端末のＩＰアドレスを元にＤＮＳサーバを利用して契約実施端末のホスト名を取得し、そこから契約対象ネットワークのドメイン名を抽出する、
ことを特徴とするネットワークサービスを安全に契約する方法。
【発明の詳細な説明】
【０００１】
【発明の属する技術分野】
本発明は、ネットワークサービスを安全に契約する方法に関する。
【０００２】
【従来の技術】
ユーザ（顧客）のネットワークが、通信ネットワークを介して他のシステムから各種のサービスを受けるためには、予め当該システムとサービスの提供を受けるための契約を結ぶ必要がある。
この場合、ユーザのネットワークが所属するドメイン名が送信されて来るが、このドメイン名が当該ネットワークの正当なドメイン名であるとは断定できないので、サービスを提供する側で確認する必要がある。
【０００３】
【発明が解決しようとする課題】
本発明は、ネットワークサービスを受けるために契約を申込んで来たユーザから受信したドメイン名が正当であるか否かを、サービスを提供する側で簡易に確認でき、安全に契約を結ぶ方法を提供することを目的とする。
【０００４】
【課題を解決するための手段】
上記目的を達成するために、本発明のネットワークサービスを安全に契約する方法は、契約実施端末１３と契約対象ネットワーク１、ＤＮＳサーバ１１、サービス契約システム２、サービス提供システム３とを通信ネットワーク４を介して情報を送受信可能に接続し、サービス提供システム３が契約実施端末１３を含む契約対象ネットワーク１に対してサービスを行うシステムにおいて、契約実施端末１３が契約対象ネットワーク１に対するサービス提供の契約を行う場合に、契約実施端末１３から入力されたドメイン名とサービス契約システムが取得した契約対象ネットワーク１のドメイン名とが一致することをサービス契約システム２が確認した後、サービス提供システム３がサービス提供を開始するようにした。
【０００５】
また、上記において、サービス契約システム２が契約実施端末１３のＩＰアドレスを元にＤＮＳサーバ１１を利用して契約実施端末１３のホスト名を取得し、そこから契約対象ネットワーク１のドメイン名を抽出するようにした。
【０００６】
【発明の実施の形態】
本発明の実施の形態を実施例にもとづき図面を参照して説明する。
図１は本発明の契約システムの概念図を示す。
図にいて、１は契約対象ネットワークで、内部に契約実施端末１３、ＤＮＳサーバ１１、サーバ１２、ＰＣ（パソコン）１４等を備える。２はサービス契約システムで、後述のように契約実施端末１３からの契約リクエストに応じて、ネットワークサービスに関する契約を結ぶ。３はサービス提供システムで、サービス契約システム２からのサービス提供許可の通知を受けて、契約対象ネットワーク１にサービスを提供する。
【０００７】
契約実施端末１３と契約対象ネットワーク１内のＤＮＳサーバ１１とサービス契約システム２とサービス提供システム３とは通信ネットワーク４を介して情報を送受信可能に接続されている。
契約実施端末１３が契約対象ネットワーク１に対するサービス提供の契約を結ぶ場合は、先ず契約実施端末１３からサービス契約システム２へ契約リクエストが送信され、その際契約対象ネットワーク１のドメイン名も送信される。
サービス契約システム２は、契約実施端末１３のＩＰアドレスを元にＤＮＳサーバ１１を利用してホスト名を取得し、そこから契約対象ネットワーク１（契約実施端末１３）のドメイン名を抽出する。
【０００８】
サービス契約システム２は、契約実施端末１３から受信したドメイン名と上記のように抽出したドメイン名が一致するか否かを確認し、一致していることを確認した場合のみサービス提供システム３にサービス提供許可通知を送信する。
サービス提供システム３はこのサービス提供許可通知を受信すると、契約対象ネットワーク１に対するサービスを開始する。
上記において両ドメイン名が一致しない場合は、契約リクエストは拒否され、サービスの提供を受けられない。
【０００９】
図２は、ユーザ（顧客）がネットワークサービスを受けるためにサービス契約システム２と契約を結ぶ場合の処理のフロー図である。
ステップＳ２０で処理がスタートし、ステップＳ２１でユーザは契約実施端末１３からサービス契約システム２に対してサービスの契約リクエストを送信する。この送信には契約対象ネットワーク１のドメイン名を含める。
ステップＳ２２で、サービス契約システム２は契約実施端末１３の属するドメイン名を特定するため、契約実施端末１３のＩＰアドレスをＤＮＳサーバ１１に送り、契約実施端末１３のホスト名を取得し、そこから契約対象ネットワーク１のドメイン名を取得（抽出）する。
【００１０】
ステップＳ２３で、サービス契約システム２はステップＳ２１で受信したドメイン名とステップＳ２２で取得したドメイン名を比較する。
ステップＳ２４で比較の結果をチェックし、一致しなければステップＳ２７で契約リクエストを拒否してステップＳ２８へ進み、一致していればステップＳ２５でサービス提供システム３に対してサービス許可を指示する送信をし、ステップＳ２６で契約が成立したことを契約実施端末１３に送信する。
ステップＳ２８で処理を終了する。
【００１１】
【発明の効果】
本発明によれば、事前審査等によるユーザの特定を要することなく、契約実施端末からの契約リクエストに応じて簡易にユーザを特定でき、ネットワークサービスの契約を安全に行うことができる。
【図面の簡単な説明】
【図１】本発明の契約システムの概念図である。
【図２】ユーザがネットワークサービスを受けるためにサービス契約システムと契約を結ぶ場合の処理のフロー図である。
【符号の説明】
１  契約対象ネットワーク
１１  ＤＮＳサーバ
１２  サーバ
１３  契約実施端末
１４  ＰＣ（パソコン）
２  サービス契約システム
３  サービス提供システム
４  通信ネットワーク
【図１】
2004151933.tif 000003
【図２】
2004151933.tif 000004